(57)【特許請求の範囲】
【請求項１】
遊技店に設置された遊技台の開錠状況を管理するためのシステムであって、
予め固有の識別情報を記憶した部分を備える台鍵と、
該台鍵の前記識別情報との対応関係情報を記憶した対応関係記憶手段と、
各遊技台に設けられ、当該遊技台の開錠操作がなされるとき、開錠操作に使用された前記台鍵に記憶されている前記識別情報を読み取る識別情報読取手段と、
該識別情報読取手段が読み取った識別情報と前記対応関係記憶手段の記憶内容とに基づいて、当該遊技台の開錠に使用された前記台鍵を特定できるか判定し、前記台鍵を特定することができたのなら台鍵の前記識別情報を、前記台鍵を特定できなかったのなら、識別不能を意味する情報を特定結果とする台鍵特定手段と、
該台鍵特定手段の特定した結果に基づいて、少なくとも開錠に使用された前記台鍵を特定する情報を含む管理情報を出力する管理情報出力手段と、
前記台鍵特定手段の特定結果を元情報として記憶しておく元情報記憶手段と、
該元情報記憶手段の記憶内容を読み出して前記元情報から前記管理情報出力手段の出力するべき前記管理情報を形成する管理情報形成手段と、
前記開錠操作がなされた当該遊技台を特定する遊技台特定手段と、
遊技台の前面枠あるいはガラス窓が開けられてから閉じられるまでの時間である扉開放時間を前記元情報に追加する情報追加手段と、
を備え、
前記管理情報出力手段は、
前記管理情報形成手段の形成した前記管理情報を出力する手段として構成され、
前記元情報記憶手段は、
前記遊技台特定手段による当該遊技台の特定結果と前記台鍵特定手段による前記台鍵の特定結果とを対応付けた情報を前記元情報として記憶するように構成されていることを特徴とする遊技台開錠管理システム。
【発明の詳細な説明】
【０００１】
【発明の属する技術分野】
本発明は遊技台開閉の状況を把握し、台鍵を特定する手段を設けた遊技台開錠管理システムに関するものである。
【０００２】
【従来の技術】
従来、パチンコ台には、ガラス窓枠や前面枠が開閉自在に装着してある。そして、通常の営業時には、ガラス窓枠などは、前面に取り付けた枠施錠装置により開閉されないようにしてある。しかし、営業時間中には、パチンコ台が玉詰まりを起こしたりするため、ガラス窓枠などを開閉させることがある。枠施錠装置を開閉させるには、その枠施錠装置に対応する台鍵を用いている。このような台鍵と全く同一の物を多数の店関係者が持っている。だから、台鍵の所在が掴みにくかったりすることや紛失する可能性も高い。
【０００３】
【発明が解決しようとする課題】
ところで、パチンコ店において、台鍵を用いたパチンコ遊技の不正行為がある。これは、パチンコ台のガラス窓枠を台鍵で開錠し、入賞口へ不正に遊技球を入れたりするものである。この行為により、不正に賞球を増やすことができる。このような問題は、不正行為として見つけ出すことが難しかった。また、台鍵の所在が掴みにくかったことで、使用状況が把握できなかったりして、不正に使われたりすることや紛失した鍵が使われたりすることが、上記の問題に拍車をかけていた。
【０００４】
上記のような問題を解決する手段として、例えば、特開平７−７１１４４号公報が示されている。それは、錠を替えなくても、新たな台鍵で開くように簡単な操作で開錠できる台鍵のパターンを変えることができる可変式錠である。これによれば、変造されたり、盗難されたりした台鍵で、不正にパチンコ台を開けようとしても、それらの台鍵のパターンと一致しないように予め錠を開錠できる台鍵のパターンを変えておくことにより、開くことができないというものである。しかし、この台鍵では、変造した台鍵などに対処するように予め台鍵を替えなければならない。さらに外部に流失したことが分からなければ、対処できないし、現在使用している台鍵を用いた不正行為には効果がない。
【０００５】
そこで、上記の問題を解決するために、本発明は、台鍵による遊技台の開錠の状況を管理することで、台鍵を用いた遊技台に対する不正行為を監視する、遊技台開錠管理システムを提供することを目的とする。
【０００６】
【課題を解決するための手段、発明の実施の形態及び発明の効果】
上記の目的を達成するために発明した遊技台開錠管理システムは、遊技店に設置された遊技台の開錠状況を管理するためのシステムであって、予め固有の識別情報を記憶した部分を備える台鍵と、該台鍵の前記識別情報との対応関係情報を記憶した対応関係記憶手段と、各遊技台に設けられ、当該遊技台の開錠操作がなされるとき、開錠操作に使用された前記台鍵に記憶されている前記識別情報を読み取る識別情報読取手段と、該識別情報読取手段が読み取った識別情報と前記対応関係記憶手段の記憶内容とに基づいて、当該遊技台の開錠に使用された前記台鍵を特定できるか判定し、前記台鍵を特定することができたのなら台鍵の前記識別情報を、前記台鍵を特定できなかったのなら、識別不能を意味する情報を特定結果とする台鍵特定手段と、該台鍵特定手段の特定した結果に基づいて、少なくとも開錠に使用された前記台鍵を特定する情報を含む管理情報を出力する管理情報出力手段と、前記台鍵特定手段の特定結果を元情報として記憶しておく元情報記憶手段と、該元情報記憶手段の記憶内容を読み出して前記元情報から前記管理情報出力手段の出力するべき前記管理情報を形成する管理情報形成手段と、前記開錠操作がなされた当該遊技台を特定する遊技台特定手段と、遊技台の前面枠あるいはガラス窓が開けられてから閉じられるまでの時間である扉開放時間を前記元情報に追加する情報追加手段と、を備え、前記管理情報出力手段は、前記管理情報形成手段の形成した前記管理情報を出力する手段として構成され、前記元情報記憶手段は、前記遊技台特定手段による当該遊技台の特定結果と前記台鍵特定手段による前記台鍵の特定結果とを対応付けた情報を前記元情報として記憶するように構成されていることを特徴とするものである。
【０００７】
この遊技台開錠管理システムにおいては、パチンコ店にある遊技台を開錠する多数の台鍵に予め固有の識別情報を記憶しておく。また、この多数の台鍵の識別情報から台鍵を特定するために必要な対応関係情報を対応関係記憶手段に用意しておく。
【０００８】
そこで、遊技台を任意の台鍵で開錠操作がなされると、その台鍵に記憶されている識別情報を識別情報読取手段が読み取る。そして、台鍵特定手段により、読み取られた識別情報は、対応関係記憶手段にある情報と照らし合わされて、開錠に使用された台鍵が特定される。そして、台鍵特定手段の特定結果に基づいて、管理情報出力手段が、少なくとも開錠に使用された台鍵を特定する情報を含む管理情報を出力する。
【０００９】
このようにして、各々の台鍵による遊技台の開錠の状況が出力される。例えば、どの台鍵が多く使用されたかといったことや、未知の台鍵が使用されたかといったことを把握することができる。その結果として、所在が掴みにくかった台鍵に関する不正行為などの管理が容易になる。
【００１１】
また、この遊技台開錠管理システムにおいては、台鍵特定手段の特定結果を元情報として、元情報記憶手段に蓄積することにより、特定結果を後に引き出すことができる。そして、管理情報形成手段により、元情報から管理情報を形成する。形成された管理情報は、管理情報出力手段により、出力される。
【００１２】
このようにして、元情報記憶手段に管理情報を一時的に蓄えることで、管理情報の利用率を高めることができる。
【００１３】
また、この遊技台開錠管理システムでは、台鍵で遊技台の開錠操作がなされるとき、台鍵特定手段からの台鍵特定結果と共に遊技台特定結果を元情報として記憶しておく。これにより、台鍵とその台鍵によって開錠された遊技台の開錠情報を合わせたものを元情報として記憶してあるから、各々の台鍵による各々の遊技台の開錠の状況が記憶されるため、台鍵の開錠状況の管理が的確に行える。
【００１７】
【実施例】
上記の本発明の課題を解決するための手段、発明の実施の形態及び発明の効果を一層明らかにするため、本発明を適用した実施例について説明する。
実施例の遊技台開錠管理システムの構成を図１に示す。
【００１８】
システムの構成は、予め固有の台鍵識別情報を持ち、開錠操作の際にこの台鍵識別情報を出力することができる台鍵１、台鍵１から出力された台鍵識別情報を読み取る識別情報読取部３２及び読み取られた台鍵識別情報などを処理するための管理システム１０である。
【００１９】
ここで言う固有の台鍵識別情報とは、各々の台鍵１に与えらえた固有の番号に相当する信号を台鍵１から発信するものである。本実施例の台鍵１から発信される信号は、固有の台鍵識別情報となるデジタル信号である。
台鍵１は、図２（ａ）と図２（ａ）のＡ−Ａ断面を表す図３（ａ）とに示すように、円筒状の差込み部と図示しない取っ手からできている。また、内部には、デジタル発信器７が埋め込んである。
【００２０】
台鍵１の差込み部の先端の外周部に一対の対向した凸部１ｂ及び４個の切欠部６が形成してある。差込み部の先端面１ａには、円筒状の外周に合わせた凹部１ｃが形成してある。凹部１ｃには、凹部１ｃの壁から突出する形の凸部１ｅが形成してある。さらに、凹部１ｃの底面１ｄには、デジタル発信器７へ電力を入力するための受電端子５ａ及びデジタル発信器７から発信される信号を出力するための送信端子５ｂが埋め込んであり、これらを取り囲むように絶縁体５が形成してある。
【００２１】
台鍵１に埋め込まれたデジタル発信器７は、受電端子５ａから入力される電力を電源としており、小電力の供給があれば、固有の台鍵識別情報となるデジタル信号を発信する。発信された台鍵識別情報は、送信端子５ｂから出力される。
識別情報読取部３２は、図４に示すように、台鍵１から発信された台鍵識別情報を読み取る施錠装置３、台鍵１が差し込まれたパチンコ台を識別できるように、固有のパチンコ台識別情報であるデジタル信号を送り出す遊技台情報発信回路３６、前面枠及びガラス窓枠が開かれている間の時間を計る前面枠タイマ４０及びガラス窓枠タイマ４２、台鍵１からの台鍵識別情報と遊技台情報発信回路３６からのパチンコ台識別情報と前面枠タイマ４０またはガラス窓枠タイマ４２からの時間とを管理システム１０に送り出す情報合成回路３８から構成されている。
【００２２】
ここで言うパチンコ台識別情報とは、各々のパチンコ台に与えらえた固有の番号に相当する信号を遊技台情報発信回路３６から発信するものである。本実施例の遊技台情報発信回路３６から発信される信号は、固有のパチンコ台識別情報となるデジタル信号である。
【００２３】
施錠装置３は、通常のパチンコ台と同様に図示しない前面枠に設けられていて、図２（ｂ）と図２（ｂ）のＢ−Ｂ断面を表す図３の（ｂ）とに示すように、シリンダー状になっており、前面には、前面板３ａが設けてある。前面板３ａには台鍵１の先端の外周部に合わせた形状の鍵穴３ｇが形成してある。そして、内部には、前面板３ａの裏面に当りながら回動可能なローター部８などがある。ローター部８には、台鍵１の先端面１ａに合わせた形状の凹部３ｃが形成してあり、可動可能な４本のキーピン４が埋め込まれている。また、凹部３ｃには、台鍵１の凹部１ｃ、凸部１ｅに対応する凸部３ｂ、凹部３ｅが形成してある。凸部３ｂの前面部３ｄには、台鍵１の受電端子５ａに対応するところへデジタル発信器７に電力を送るための送電端子２ａ及び送信端子５ｂに対応するところへ台鍵識別情報を受信するための受信端子２ｂが埋め込んであり、これらを取り囲むように絶縁体２が形成してある。さらに、台鍵１の凸部１ｂに対応する凹部３ｆが形成してある。また、施錠装置３の内部には、パチンコ台から送電端子２ａに電力を送電する絶縁被覆した電線９ａ及び受信端子２ｂからの台鍵識別情報を遊技台情報発信回路３６及び情報合成回路３８に送るための絶縁被覆した送信線９ｂが埋め込んである。
【００２４】
この施錠装置３は、台鍵１を受けるもので、台鍵１の差込み部の先端面１ａが、前面板３ａを通り抜け、凹部３ｃにはまり込むようにできている。そして、台鍵１の切欠部６が施錠装置３のキーピン４に係合する。さらに、台鍵１の凸部１ｅが施錠装置３の凹部３ｅに係合する。この状態で、台鍵１を回すと、ローター部８も同様に回転する。また、台鍵１の受電端子５ａ、送信端子５ｂが、施錠装置３の送電端子２ａ、受信端子２ｂに接合する。この様に接合している場合には、台鍵１から固有の台鍵識別情報が、施錠装置３に送信される。
【００２５】
遊技台情報発信回路３６は、各々の遊技台に与えられた固有のパチンコ台識別情報を情報合成回路３８へ発信する回路である。この回路は、施錠装置３からの台鍵識別情報を受信すると、パチンコ台識別情報を発信するようになっている。前面枠タイマ４０及びガラス窓枠タイマ４２は、図示しない前面枠及びガラス窓枠に設けてある。このタイマは、前面枠またはガラス窓枠が開けられてから閉められるまでの時間を計測し、その時間を開錠時間として情報合成回路３８へ送信するものである。
【００２６】
情報合成回路３８は、まず、台鍵識別情報とパチンコ台識別情報とを取り込んだ上で、それらを一対の情報とし、管理システム１０へその情報を送信する。さらに、開錠時間を管理システム１０へ送信する回路である。
管理システム１０は、既知な構成である。これは、ＣＰＵ１２、ＲＯＭ１４、ＲＡＭ１６、ハードディスク１８、信号バスライン１９、キーボード２０、Ｉ／Ｏポート２２、ターミナル２４、プリンター２６、ＣＲＴ２８及びビデオ出力回路３０などから構成されている。
【００２７】
ターミナル２４は、パチンコ店に設置された多数のパチンコ台からの情報の送受信を制御するものである。管理システム１０の処理手段から送られてきた情報を受信した場合においては、その情報に添付された行き先情報を認識して、特定のパチンコ台に情報を送り出す。そして、特定のパチンコ台から情報を受信した場合は、その情報が何処から送られてきたかを確認して、管理システム１０の処理手段へ情報を送り出す。ターミナル２４は、全てのパチンコ台に設けた識別情報読取部３２と管理システム１０とを接続している。
【００２８】
また、ＲＯＭ１４またはハードディスク１８には、あらかじめ全ての台鍵１の持つ固有の台鍵識別情報と台鍵番号との対応関係を記した対応関係テーブル情報と、遊技台開錠管理システムの制御プログラムとが記憶されている。
次に遊技台開錠管理システムについての処理の過程について説明する。
【００２９】
まず、パチンコ台の前面枠またはガラス窓枠を開けるために、任意の台鍵１を施錠装置３へ差し込む。台鍵１は、台鍵１の凹部１ｃの底面１ｄと施錠装置３のローター部８の凸部３ｂの前面部３ｄとが接合するところまで、はまり込む。この状態では、台鍵１の底面１ｄにある受電端子５ａ、送信端子５ｂが、施錠装置３の前面部３ｄにある送電端子２ａ、受信端子２ｂに接続した状態となる。送電端子２ａから受電端子５ａを通ってデジタル発信器７へ電力が供給される。デジタル発信器７は、予め定められた固有の台鍵識別情報に相当するデジタル信号を発信する。発信されたデジタル信号は、送信端子５ｂから受信端子２ｂへ送られる。そして、台鍵１の凸部１ｅとローター部８の凹部３ｅとが係合するので、台鍵１を回せば、ローター部８も同時に回り、パチンコ台の開錠ができる。よって、前面枠またはガラス窓枠を開閉できる。
【００３０】
施錠装置３の受信端子２ｂが受信した台鍵識別情報は、図４に示すように、遊技台情報発信回路３６と情報合成回路３８との二つの回路へ送られる。遊技台情報発信回路３６は、台鍵識別情報を受信すると、情報合成回路３８へパチンコ台識別情報を送信する。また、前面枠タイマ４０またはガラス窓枠タイマ４２から開錠時間が情報合成回路３８へ送られる。情報合成回路３８は、台鍵識別情報とパチンコ台識別情報とを一対の情報として管理システム１０のターミナル２４へ送り出す。さらに、情報合成回路３８は、開錠時間を管理システム１０へ送り出す。
【００３１】
管理システム１０は、台鍵識別情報とパチンコ台識別情報とを受信して、それらの情報をＲＯＭ及びハードディスクに記憶されている制御プログラムで処理する。これは、台鍵識別情報から開錠を行っている台鍵を特定することなどを行う。
【００３２】
次に制御プログラムについての説明をする。
制御プログラムは、得られた情報から台鍵を特定して、その結果などを含む元情報を記憶する台鍵特定部と、元情報の並べ換えを行って、管理情報に形成する管理情報形成部とからできている。
【００３３】
台鍵特定部のフローは、図５に示すようになっている。
まず、台鍵１から送信された台鍵識別情報と、遊技台情報発信回路３６から送信されたパチンコ台識別情報とが情報合成回路３８によって、管理システム１０へ送られてきたかどうかを判断する（Ｓ１０）。それらの情報が送られてこない場合は、そのまま待機状態となる。二つの情報が送られてきたことが確認されたら、その情報を読み込む（Ｓ２０）。これは、台鍵識別情報とパチンコ台識別情報とを読み込むのである。
【００３４】
そして、二つの情報とは別に、管理システム１０内に予め記憶されている台鍵識別情報と台鍵番号との対応関係を記した対応関係テーブル情報を読み込む（Ｓ３０）。
次に、台鍵識別情報を対応関係テーブル情報と照合して、開錠に使用された台鍵を特定できるか判断する（Ｓ４０）。台鍵を特定することができたのなら、台鍵の番号を特定結果として定める（Ｓ４２）。なお、対応関係テーブル情報に存在しない信号情報であった場合は、特定結果へ識別不能を意味する情報を記憶する（Ｓ４４）。これらの特定結果と、パチンコ台識別情報とを元情報として、管理システム１０のハードディスク１８などの記憶媒体に記憶する（Ｓ５０）。
【００３５】
次にこの時点において情報合成回路３８からパチンコ台の開錠時間の情報が送られてきているかどうかを判断する（Ｓ６０）。開錠時間が管理システム１０へ送信されるまで、この処理で待機状態となる。開錠時間が管理システム１０へ送信されたら、開錠時間を元情報へ追加記憶する（Ｓ７０）。
【００３６】
以上の台鍵特定部の処理により、台鍵の特定などを行い、結果を記憶することができる。
次に管理情報形成部のフローを図６に示す。
キーボード２０などの外部入力手段から管理情報形成部の処理の開始が入力されると、元情報の並べ換えを行うかについての入力待ちとなる（Ｓ８０）。並べ換えを行うように指示が出されると、並べ換えを行う。並べ換えには、台鍵番号順、パチンコ台番号順、使用頻度の高い台鍵順、開閉数の多いパチンコ台順及び時間帯別がある（Ｓ９０、Ｓ１１０、Ｓ１３０、Ｓ１５０、Ｓ１７０）。それらの並べ換えの指示に応じて、台鍵番号順の並べ換え、パチンコ台番号順の並べ換え、使用頻度が高い台鍵順の並べ換え、開閉数の多いパチンコ台順の並べ換え及び時間帯別の並べ換えをする（Ｓ１００、Ｓ１２０、Ｓ１４０、Ｓ１６０、Ｓ１８０）。これらの並べ換えにより、元情報を管理情報に形成する。
【００３７】
次に、管理情報を出力するかどうかについての入力待ちとなる（Ｓ１９０）。管理情報を出力するという入力であれば、任意の出力手段において、出力させる（Ｓ２００）。
以上の管理情報形成部の処理により、元情報を並べ換えることで、管理情報を形成する。よって、元情報を、指向性のある読み取り易い情報にするため、台鍵の開錠状況を把握し易くする。
【００３８】
上記のような構成である遊技台開錠管理システムは、少なくとも現在用いられている台鍵による遊技台開閉の状況を知ることができる。だから、台鍵を用いた不正行為を監視することができるという効果がある。
本発明の実施例を説明したが、本発明はこれに限らず、さらに種々なる態様にてこれを実施することができる。
【００３９】
例えば、本実施例の台鍵識別情報を出力する手段は、デジタル発信器であったが、アナログ発信を用いた手段とし、それに合わせた回路構成にしてもよい。また、台鍵識別番号を特定することができない台鍵を用いて、パチンコ台の開錠を行った場合は、その特定結果を記憶しておくだけではなく、パチンコ台に設けた警報手段から警報を発するようにしてもよい。さらに、元情報の並べ換えのパラメータは、上記のものだけではなく、他の必要に応じたものを用意してもよい。
【図面の簡単な説明】
【図１】  実施例の開錠管理システムの構成を示す構成図である。
【図２】  実施例の台鍵の先端面及び施錠装置の前面を示す説明図である。
【図３】  実施例の台鍵及び施錠装置の側面から見た断面を示す側面断面図である。
【図４】  実施例の識別情報読取部の構成を示す構成図である。
【図５】  実施例の台鍵特定部のフローを示すフローチャートである。
【図６】  実施例の管理情報形成部のフローを示すフローチャートである。
【符号の説明】
１・・・台鍵、２ａ・・・送電端子、２ｂ・・・受信端子、３・・・施錠装置、５ａ・・・受電端子、５ｂ・・・送信端子、７・・・デジタル発信器、１０・・・管理システム、１２・・・ＣＰＵ、１４・・・ＲＯＭ、１６・・・ＲＡＭ、１８・・・ハードディスク、１９・・・信号バスライン、２０・・・キーボード、２２・・・Ｉ／Ｏポート、２４・・・ターミナル、２６・・・プリンター、２８・・・ＣＲＴ、３０・・・ビデオ出力回路、３２・・・識別情報読取部、３６・・・遊技台情報発信回路、３８・・・情報合成回路
【図１】
0004069473.tif 000002
【図２】
0004069473.tif 000003
【図３】
0004069473.tif 000004
【図４】
0004069473.tif 000005
【図５】
0004069473.tif 000006
【図６】
0004069473.tif 000007